【手続補正書】
【提出日】令和1年12月6日(2019.12.6)
【手続補正１】
【補正対象書類名】明細書
【補正対象項目名】０００７
【補正方法】変更
【補正の内容】
【０００７】
本発明は、上記目的を達成するために提案されたものであり、請求項１に記載のものは、複数のランドリー機器と通信可能であり、各ランドリー機器の利用料金の精算が行われる集中精算機を備えたコインランドリー用集中精算システムであって、
前記集中精算機に設けられ、前記ランドリー機器の利用特典を特典情報として読み取り可能な特典情報読取装置と、
該特典情報読取装置が読み取った特典情報が有効であるか否かを判定する特典情報判定手段と、を備え、
該特典情報判定手段により前記特典情報が有効であると判定された場合には、該特典情報に基づいて前記ランドリー機器の利用特典を付与することを特徴とするコインランドリー用集中精算システムである。
また、前記特典情報判定手段は、当該特典情報判定手段の管理情報を、通信回線を介して外部と通信可能に構成してもよい。
【手続補正２】
【補正対象書類名】明細書
【補正対象項目名】０００８
【補正方法】変更
【補正の内容】
【０００８】
請求項３に記載のものは、前記特典情報判定手段は、前記特典情報読取装置が読み取った特典情報を記憶して蓄積データとし、該蓄積データを参照して次回以降の特典情報に対する判定を実行することを特徴とする請求項１または請求項２に記載のコインランドリー用集中精算システムである。
【手続補正３】
【補正対象書類名】明細書
【補正対象項目名】０００９
【補正方法】変更
【補正の内容】
【０００９】
請求項４に記載のものは、前記特典情報に基づく前記ランドリー機器の利用特典は、前記ランドリー機器の利用料金の減額であることを特徴とする請求項１から請求項４のいずれかに記載のコインランドリー用集中精算システムである。
【手続補正４】
【補正対象書類名】明細書
【補正対象項目名】００１０
【補正方法】変更
【補正の内容】
【００１０】
請求項５に記載のものは、前記特典情報読取装置は、前記特典情報をコード化したバーコードを読み取り可能なバーコードリーダであることを特徴とする請求項１から請求項４のいずれかに記載のコインランドリー用集中精算システムである。
【手続補正５】
【補正対象書類名】明細書
【補正対象項目名】００１１
【補正方法】変更
【補正の内容】
【００１１】
請求項６に記載のものは、前記特典情報が記録された記録媒体を前記特典情報読取装置内に受け入れて前記特典情報を読み取り可能とし、
前記特典情報読取装置には、特典情報の読み取り完了後に記録媒体を回収する回収手段を備えたことを特徴とする請求項１から請求項５のいずれかに記載のコインランドリー用集中精算システムである。
【手続補正６】
【補正対象書類名】明細書
【補正対象項目名】００１２
【補正方法】変更
【補正の内容】
【００１２】
請求項７に記載のものは、前記特典情報が記録された記録媒体を前記特典情報読取装置内に受け入れて前記特典情報を読み取り可能とし、
前記特典情報読取装置には、特典情報の読み取り完了後に読取済マークを記録媒体へ付ける読取済マーク付加手段を備えたことを特徴とする請求項１から請求項５のいずれかに記載のコインランドリー用集中精算システムである。
【手続補正７】
【補正対象書類名】明細書
【補正対象項目名】００１３
【補正方法】変更
【補正の内容】
【００１３】
請求項８に記載のものは、前記集中精算機は、コインランドリーと提携する提携店にて利用可能な提携特典情報を出力する提携特典出力装置を備えたことを特徴とする請求項１から請求項７のいずれかに記載のコインランドリー用集中精算システムである。
【手続補正８】
【補正対象書類名】明細書
【補正対象項目名】００１４
【補正方法】変更
【補正の内容】
【００１４】
本発明によれば、以下のような優れた効果を奏する。
請求項１、請求項２に記載の発明によれば、利用客が提示した特典情報が有効であるか否かを、コインランドリーに接客店員が居なくても確認することができる。したがって、ランドリー機器の利用特典の付与を既に済ませている特典情報（無効の特典情報）が再び提示されたとしても、この特典情報に基づいてランドリー機器の利用特典が再び利用客に付与されてしまう不都合を避けることができる。また、不正な特典情報に基づいてランドリー機器の利用特典が付与されてしまうことを未然に防ぐことができる。
【手続補正９】
【補正対象書類名】明細書
【補正対象項目名】００１５
【補正方法】変更
【補正の内容】
【００１５】
請求項３に記載の発明によれば、ランドリー機器の利用特典の付与が既に完了している特典情報が提示されたとしても、この特典情報に基づいて利用特典が利用客に改めて付与されてしまう不都合をなくすことができる。
【手続補正１０】
【補正対象書類名】明細書
【補正対象項目名】００１６
【補正方法】変更
【補正の内容】
【００１６】
請求項４に記載の発明によれば、利用客が通常よりも安い料金でランドリー機器を利用することができ、コインランドリーを一層気軽に使い易くなる。
【手続補正１１】
【補正対象書類名】明細書
【補正対象項目名】００１７
【補正方法】変更
【補正の内容】
【００１７】
請求項５に記載の発明によれば、特典情報を集中精算機内に読み取る仕組みを簡単な構成で実現することができる。
【手続補正１２】
【補正対象書類名】明細書
【補正対象項目名】００１８
【補正方法】変更
【補正の内容】
【００１８】
請求項６および請求項７に記載の発明によれば、特典情報に基づくランドリー機器の利用特典の付与が終了したことを利用客に把握させ易くなり、利用客が特典情報の再読み込みを図ろうとする行動を阻止することができる。
【手続補正１３】
【補正対象書類名】明細書
【補正対象項目名】００１９
【補正方法】変更
【補正の内容】
【００１９】
請求項８に記載の発明によれば、コインランドリーの集客効果だけではなく提携店の集客効果をも期待することができる。
【手続補正１４】
【補正対象書類名】特許請求の範囲
【補正対象項目名】全文
【補正方法】変更
【補正の内容】
【特許請求の範囲】
【請求項１】
複数のランドリー機器と通信可能であり、各ランドリー機器の利用料金の精算が行われる集中精算機を備えたコインランドリー用集中精算システムであって、
前記集中精算機に設けられ、前記ランドリー機器の利用特典を特典情報として読み取り可能な特典情報読取装置と、
該特典情報読取装置が読み取った特典情報が有効であるか否かを判定する特典情報判定手段と、を備え、
該特典情報判定手段により前記特典情報が有効であると判定された場合には、該特典情報に基づいて前記ランドリー機器の利用特典を付与することを特徴とするコインランドリー用集中精算システム。
【請求項２】
前記特典情報判定手段は、当該特典情報判定手段の管理情報を、通信回線を介して外部と通信可能に構成されたことを特徴とする請求項１に記載のコインランドリー用集中精算システム。
【請求項３】
前記特典情報判定手段は、前記特典情報読取装置が読み取った特典情報を記憶して蓄積データとし、該蓄積データを参照して次回以降の特典情報に対する判定を実行することを特徴とする請求項１または請求項２に記載のコインランドリー用集中精算システム。
【請求項４】
前記特典情報に基づく前記ランドリー機器の利用特典は、前記ランドリー機器の利用料金の減額であることを特徴とする請求項１から請求項３のいずれかに記載のコインランドリー用集中精算システム。
【請求項５】
前記特典情報読取装置は、前記特典情報をコード化したバーコードを読み取り可能なバーコードリーダであることを特徴とする請求項１から請求項４のいずれかに記載のコインランドリー用集中精算システム。
【請求項６】
前記特典情報が記録された記録媒体を前記特典情報読取装置内に受け入れて前記特典情報を読み取り可能とし、
前記特典情報読取装置には、特典情報の読み取り完了後に記録媒体を回収する回収手段を備えたことを特徴とする請求項１から請求項５のいずれかに記載のコインランドリー用集中精算システム。
【請求項７】
前記特典情報が記録された記録媒体を前記特典情報読取装置内に受け入れて前記特典情報を読み取り可能とし、
前記特典情報読取装置には、特典情報の読み取り完了後に読取済マークを記録媒体へ付ける読取済マーク付加手段を備えたことを特徴とする請求項１から請求項５のいずれかに記載のコインランドリー用集中精算システム。
【請求項８】
前記集中精算機は、コインランドリーと提携する提携店にて利用可能な提携特典情報を出力する提携特典出力装置を備えたことを特徴とする請求項１から請求項７のいずれかに記載のコインランドリー用集中精算システム。